(57)【要約】【課題】シート状の入力手段上のカバーが縦横方向からの外力に対してたわまず、脱落しないハンディターミナルを提供する。【解決手段】  装置本体に形成されているシート状の入力手段に、交換自在のメニューシートを配し、その上に、カバーを配する。該カバーは、該カバーの長手方向の縁部に爪が形成され、該入力手段の周辺部に、この爪を挿入する挿入部を設ける。さらにカバーの四辺部には、溝を一体的に形成する。【選択図】  図１
2006236092.tif 000002
【特許請求の範囲】
【請求項１】
装置表面に形成された凹部の底面にシート状の入力手段を配し、前記入力手段の上部に、前記入力手段の各キー部に割当てられた入力データに係る情報が記載されたシートを交換可能に配し、前記シートの上部に、透明性を有するカバーを配して前記シートを保持する入力装置であって、
前記カバーは、その縁部全周に渡って溝部を有し、前記縁部に複数の爪を有し、
前記凹部はその内側壁面に、前記カバーの爪を挿入する複数の挿入部を有し、
前記挿入部に前記爪を挿入して、前記カバーを前記装置に固定することを特徴とする入力装置。
【請求項２】
前記シートは可撓性を有し、前記カバーの前記溝部の底部によって前記シートを前記入力手段に押圧する、請求項１に記載の入力装置。
【請求項３】
前記カバーの前記溝部の外側壁面は、前記装置の前記凹部の内側壁面と接触する請求項１から２の何れかに記載の入力装置。
【請求項４】
前記入力手段、前記シート、および前記シートの各上面は略同一な四辺形であり、前記カバーは、前記カバーの相対向する二辺の縁部に爪を有する、請求項１から３のいずれかに記載の入力装置。
【請求項５】
前記カバーを前記装置に固定した時、前記装置表面と前記カバーの溝部以外の面が略同面となる、請求項１から４のいずれかに記載の入力装置。
【請求項６】
前記入力装置は、飲食店等で用いられる入力端末機であり、前記入力手段の各キー部に割当てられた入力データはメニューに係る情報であり、前記シートはメニューに係る情報が記載されたメニューシートである、請求項１から５に記載の入力装置。
【発明の詳細な説明】
【技術分野】
【０００１】
本発明は、装置本体のシート状の入力手段上にメニューシートを搭載してカバーで保持する構造の入力装置に関する。より詳細には、レストラン等の飲食店向けシステムで用いられる入力端末機に関する。
【背景技術】
【０００２】
ＰＯＳ（Ｐｏｉｎｔ  Ｏｒ  Ｓａｌｅｓ）のレストラン向けのシステムには、店員が携帯して顧客の注文のメニューデータを入力し換作する多数の入力端末機（以後、ハンディターミナル）と、このハンディターミナルから受信したメニューデータを印刷出力するプリンタと、ハンディターミナルから受信したメニューデータを登録処理する電子キャッシュレジスタ等を組合せたものがある。このシステムで利用しているハンディターミナルは、装置本体上にディスプレイとシート状の入力手段、例えばメンブレンスイッチが形成されており、メニューデータの入力操作を簡略化するため、メンブレンスイッチのキーにメニューデータを個々に設定しておくことが行われている。
【０００３】
このハンディターミナルでは、メンブレンスイッチの一つのキーを押圧操作すると、これに対応して一つのメニューデータが入力される。このため、このハンディターミナルでは、誤操作を防止するために多数のキーの各々の表面にメニュー名称などを表記しておくことが望ましい。また、このメニューデータは季節などに応じて変更される。そこで、この課題を解決するため、現在のハンディターミナルでは、キーの配置に対応したメニュー名称を表記した複数種類のメニューシートを、メンブレンスイッチ上に装着して交換できる構造になっている。
【０００４】
このハンディターミナルの従来例について、図３、図４を基に以下に説明する。
【０００５】
従来のハンディターミナルＡは、ハンディターミナル本体（ａ）のメンブレンスイッチ９の上に、（ｂ）のメニューシート２が配設され、その上に、（ｃ）のカバー１が配設される構成となっている。
【０００６】
従来例のハンディターミナルＡでは装置本体３に、多数の表示画素（図示せず）をドットマトリクス状に配置したＬＣＤ（Ｌｉｑｕｉｄ  Ｃｒｙｓｔａｌ  Ｄｉｓｐｌａｙ）等からなる長方形のディスプレイ４が形成されている。前述の装置本体３上に開閉カバー６がヒンジ５で装着されている。この開閉カバー６の表面に凹部８が形成されており、この凹部８の底面には多数の感圧スイッチ等からなるキー７を縦横に配置した長方形のメンブレンスイッチ９が形成されている。
【０００７】
ハンディターミナルＡの前述のメンブレンスイッチ９上には、前述のキー７の各々の配置に対応した位置に、メニュー名称１１が事前に書かれた、自由に交換ができる長方形のメニューシート２が装着されるようになっている。このメニューシート２は、プラスチック等からなる長方形で自由に変形でき、窓枠１６が透明でキートップ１２に印刷が施されているカバー１で前述のメンブレンスイッチ９上に保持されるようになっている。このハンディターミナルＡでは、前述のカバー１の左右長辺部の縁にそれぞれ３、２箇所ずつ爪１３が形成されると共に、前述の開閉カバー６の凹部８の左右の内側壁面にそれぞれ３、２箇所ずつ爪挿入部１０が形成され、この開閉カバー６の凹部８に形成された爪挿入部１０に前述のカバー１の爪１３がそれぞれ挿入されるようになっている。
この構成では、このハンディターミナルＡの、メンブレンスイッチ９のキー７に個々に設定するメニューデータについて自由に変更することができ、このメニューデータの変更に対応してメニューシート２も交換するようになっている。
【０００８】
メニューシート２を交換する場合、開閉カバー６上に装着されたカバー１を手作業で横方向にたわませて、爪挿入部１０から爪１３を引抜くことで開閉カバー６の表面からカバー１を取外す。そして、このカバー１でメンブレンスイッチ９上に保持していたメニューシート２を交換してから、手作業で横方向にたわませたカバー１の爪１３を開閉カバー６の爪挿入部１０に挿入し、この状態でカバー１を自身の弾性で平らにもどす。これで、このカバー１は、自身の弾性によって開閉カバー６の爪挿入部１０に装着されるので、この爪挿入部１０のメンブレンスイッチ９上に装着されたメニューシート２がカバー１で保持されることになる。（特許文献１参照）
【特許文献１】特開Ｈ０７-２７１８３０公報
【発明の開示】
【発明が解決しようとする課題】
【０００９】
前述のハンディターミナルＡでは、開閉カバー６に弾発的に着脱できるカバー１でメンブレンスイッチ９上に自由に交換できるメニューシート２を保持するようになっているが、このように材質の弾性によって開閉カバー６に装着されたカバー１は、外力により横方向にたわんで脱落することがある。とくに、このカバー１は、外力により横方向にたわむと長辺部の縁中央が開閉カバー６の表面から浮き上がるので、この隙間に物が引っかかりカバー１が開閉カバー６から脱落するようなことが発生しやすい。現状では図3の補強枠１７のような部品を、カバー１に貼り付けて脱落防止を図っている。しかしこの場合、貼り合わせ工程が必要となり、生産性を著しく低下させている。また、補強枠１７をつけることによって、カバー１がたわみにくくなり、ユーザーがメニューシート２を交換する場合の作業性を阻害することになっている。
【００１０】
このような問題を鑑みて本発明は、メンブレンスイッチ上のメニューカバーが縦横方向からの外力に対してたわまず、脱落しない、かつユーザーによって交換作業が容易なハンディターミナルを提供する。
【課題を解決するための手段】
【００１１】
上記の課題を解決するため本発明は、装置表面に形成された凹部の底面にシート状の入力手段を配し、その入力手段の上部に、入力手段の各キー部に割当てられた入力データに係る情報が記載されたシートを交換可能に配し、シートの上部に、透明性を有するカバーを配してシートを保持する入力装置であって、カバーはその縁部全周に渡って溝部を有し、縁部に複数の爪を有し、装置の凹部はその内側壁面に、カバーの爪を挿入する複数の挿入部を有し、挿入部に爪を挿入してカバーを装置に固定することを特徴とする入力装置を提供する。また特には、飲食店等で用いられる入力端末機（ハンディターミナル）を提供する。
【００１２】
これによりカバーは、自身の溝部により剛性が向上するため、外圧によるカバーの脱落を防止することが出来る。また従来、剛性を高めるために別部品が必要であったので、本発明により部品点数を減らすことが出来る。
【００１３】
また本発明のシートは可撓性を有し、カバーの溝部の底部によってシートを入力手段に押圧するものとする。
【００１４】
これにより、カバーの溝部で圧力をかけながらシートを入力手段に押し当てることが出来るため、カバーやシートの脱落防止と共にシートの位置ずれを防止することが出来る。
【００１５】
また本発明の溝部の外側壁面は、装置の凹部の内側壁面と接触するものとする。
【００１６】
これにより、装置とカバーとの間へのごみの侵入を防止することができ、ごみによるカバーの脱落を防止することが出来る。
【００１７】
また本発明の入力手段、シート、およびシートの各上面は略同一な四辺形であり、カバーは、カバーの相対向する二辺の縁部に爪を有するものとする。
【００１８】
このような爪の配置位置とすることにより、上述のようにカバーが脱落しないだけでなく、カバーの装着・脱着操作が簡便になる。
【００１９】
また本発明のカバーを装置に固定した時、装置表面とカバーの溝部以外の面が略同面となるものとする。
【００２０】
これにより、実際の入力行為に対して違和感の無い入力部を形成できると共に、外圧等を受けにくい入力部形状を取ることが出来る。
【００２１】
また本発明の入力装置は、飲食店等で用いられる入力端末機（ハンディターミナル）であり、入力手段の各キー部に割当てられた入力データはメニューに係る情報であり、シートはメニューに係る情報が記載されたメニューシートであるものとする。
【発明の効果】
【００２２】
本発明によれば、装置本体上に複数のキーを配置してシート状の入力手段を形成し、この入力手段上に自由に交換できるメニューシートを保持する長方形で自由に変形できるカバーを設けたハンディターミナルにおいて、前述のカバーの相対向する長辺部の縁に爪を形成し、これらの爪が入る挿入部を前述の入力手段の周辺に形成し、前述のカバーの四辺部に溝を一体形成したことにより、カバーは爪の長辺部の縁が浮き上がる方向に対して剛性が向上しているので、外力が作用しても装置本体から簡単には脱落しない。また、爪は長辺部の縁だけに形成されているので、装着に必要な操作も容易であり、剛性を向上させるために別体の部品を装着するようなことは必要ないので生産性が良好である等の効果を有する。
【実施例】
【００２３】
本発明の一実施例を図１、図２を基に以下に説明する。なお、本実施例で例示するハンディターミナルＢに関し、従来例として前述したハンディターミナルＡと同一の部分は、同一の名称と符号を利用して詳細な説明は省略する。
【００２４】
本発明のハンディターミナルＢは、図１に示すように、ハンディターミナル本体（ａ）のシート状の入力手段９（以後、メンブレンスイッチとする）の上に、（ｂ）のメニューシート２が配設され、その上に、（ｃ）のカバー１５が配設される構成となっている。
【００２５】
このハンディターミナルＢでは、表面上部にディスプレイ４が形成された装置本体３に開閉カバー６がヒンジ５で装着されている。この開閉カバー６の表面に形成された凹部８の底面に多数のキー７を縦横に配置したメンブレンスイッチ９が形成されている。
【００２６】
このハンディターミナルＢに装着された開閉カバー６のメンブレンスイッチ９上には、キー７の各々の位置に対応した場所にメニュー名称１１が予め記載されたメニューシート２が装着されるようになっている。このメニューシート２は、プラスチック等からなる長方形で可撓性を有し、窓枠１６が透明でキートップ１２に印刷が施されているカバー１５で前述のメンブレンスイッチ９上に保持されるようになっている。このハンディターミナルＢでは、前述のカバー１５の左右長辺部の縁にそれぞれ３、２箇所ずつ爪１３が形成されると共に、前述の開閉カバー６の凹部８の左右の内側壁面にそれぞれ３、２箇所ずつ爪挿入部１０が形成され、この開閉カバー６の凹部８に前述のカバー１５の前述の爪１３がそれぞれ挿入されるようになっている。前述のカバー１５は、四辺の縁部に溝１８が一体となって形成されており、図２で示すように、溝１８がメンブレンスイッチ９とメニューシート２に接触するようになっている。
【００２７】
このハンディーターミナルＢでは、メンブレンスイッチ９のキー７に個々に設定するメニューのデータが、自由に変更することができ、メニューデータの変更に応じてメニューシート２を交換する。
【００２８】
この場合は、メンブレンスイッチ９上に装着された自由に変形できるカバー１５を手作業で横方向にたわませて、爪挿入部１０から爪１３を引抜くことで開閉カバー６の表面からカバー１５を取外す。そして、このカバー１５でメンブレンスイッチ９上に保持していたメニューシート２を交換してから、手作業で横方向にたわませたカバー１５の爪１３を装置本体３の爪挿入部１０に差込み、この状態でカバー１５を自身の弾性で平らにもどす。これで、このカバー１５は、自身の弾性によって装置本体３の爪挿入部１０に装着されるので、この爪挿入部１０のメンブレンスイッチ９上に装着されたメニューシート２がカバー１５で保持されることになる。
【００２９】
ここで、このハンディターミナルＢでは、メンブレンスイッチ９上にメニューシート２を保持するカバー１５が、その四辺に溝部１８が形成されており、これにより構造的に縦横方向の剛性が向上している。そのため、カバーが外力により横方向にたわんで脱落することが防止される。また特に、このカバー１５は、横方向にたわむ際に外力が作用した場合でも、四辺部に形成された溝部１８がメンブレンスイッチ９とメニューシート２に接触し、且つ凹部８の内壁と接触しているため、表面から浮き上がりにくく、この隙間に物が挟まることによる脱落は発生しにくい。
【００３０】
さらに、このカバー１５は、縦横方向の剛性は向上しているが、溝形状のため、縦方向やねじり方向にたわませることは容易であり、このようにたわませてカバー１５を装置本体３に容易に着脱することが可能である。
【００３１】
しかもこのカバー１５は、一枚のプラスチックシートで形成されており、縦横方向の剛性を向上させるために別体の部品を装着するようなことは不要で、部品個数の増大が防止されている。ここで、このカバー１５は、その四辺に溝部１８を形成する構造となっているが、例えば、プラスチックシートを真空成形で形成しカバー１５を形成する場合に、同一工程でカバー１５のキートップ１２および窓枠１６も形成可能である。このように別工程で形成していたキートップ１２、および窓枠１６の製造工程を減少させることも可能である。
【００３２】
尚、このようなカバーの製造方法の例として真空形成を挙げたが、本発明で提示した形状および機能を有するカバーを製造する方法であれば、これに限るものではない。
【００３３】
また本実施例は、ハンディターミナルに関する例であったが、装置としてはこれに限るものではない。例えば、メンブレンスイッチのような入力手段を有し、少なくともその上方にカバーを配置する装置であれば、本発明を適応することが可能である。
【図面の簡単な説明】
【００３４】
【図１】本発明の一実施例のハンディターミナルＡを例示する分解斜視図
【図２】縦断側面図である。
【図３】第一の従来例のハンディターミナルＡを例示する分解斜視図である。
【図４】第一の従来例のハンディターミナルＡを例示する縦断側面図である。
【符号の説明】
【００３５】
１  カバー（従来例）
２  メニューシート
３  装置本体
４  ディスプレイ
５  ヒンジ
６  開閉カバー
７  キー
８  凹部
９  シート状の入力手段（メンブレンスイッチ）
１０  爪挿入部
１１  メニュー名称
１２  キートップ
１３  爪
１５  カバー（本発明）
１６  窓枠
１８  溝
【図１】
2006236092.tif 000003
【図２】
2006236092.tif 000004
【図３】
2006236092.tif 000005
【図４】
2006236092.tif 000006